(57)【要約】【課題】エレベータの昇降路内の気温上昇を抑えるために、従来のエレベータの空調装置は、昇降路上部に冷房ユニットを設置してたが、効率が悪く、コストも高くつくという問題があった。【解決手段】昇降路２の気温上昇の原因である空調機３の排熱を排気パイプ５を通じて排気ダクト４の内部に放出するように構成した。排気ダクト４内の暖気は、煙突効果により上端の排出口６から昇降路２外部に排出されるため、昇降路２内部の気温上昇が抑えられる。【選択図】　　　　　図１
2004075372.tif 000002
【特許請求の範囲】
【請求項１】
エレベータの昇降路に設置され、前記エレベータのカゴの運行経路に沿って配置された排気ダクトと、前記エレベータのカゴに設置された空調手段と、前記空調手段の排熱を前記排気ダクトに導く排熱管と、を有することを特徴とするエレベータの空調装置。
【請求項２】
排熱管が挿入される排気ダクトの面が、可撓性素材を用いたブラシを有することを特徴とする請求項１に記載のエレベータの空調装置。
【請求項３】
同一の昇降路内を運行する２台以上のエレベータのカゴが、それぞれの排熱管から同一の排気ダクトへ排熱することを特徴とする請求項１または請求項２に記載のエレベータの空調装置。
【請求項４】
排気ダクトは、エレベータの制御機器の放熱を前記空調手段の排熱とともに排出することを特徴とする請求項１〜３のいずれかに記載のエレベータの空調装置。
【請求項５】
エレベータのカゴに設置された空調手段と、前記エレベータの昇降路の壁に設けられ、前記昇降路の外部に排熱する排熱口と、一端を前記排熱口に、もう一端を前記空調手段に固定し、前記空調手段の排熱を前記排熱口に導く可撓な排熱管と、を有することを特徴とするエレベータの空調装置。
【発明の詳細な説明】
【０００１】
【発明の属する技術分野】
本発明は、エレベータ装置内に設置された空調装置による昇降路内の温度上昇防止に関する。
【０００２】
【従来の技術】
カゴの上部に空調装置の室外機を設置したエレベータ設備に関し、冷房運転時に室外機の放出する暖気による昇降路内の温度上昇を抑制するために、例えば、特開平５−１９３８６３号公報のエレベータの空調装置では、昇降路上部に冷房ユニットを設置して昇降路を冷却する装置を提案している。
【０００３】
【発明が解決しようとする課題】
しかし、カゴに設置した空調装置の室外機が放出する熱による昇降路の気温上昇を抑えるために、上述の発明で昇降路上部に設置する空調装置には、カゴに設置した空調装置の冷房能力以上の冷房能力が必要となる。つまり上述のエレベータ設備全体では、カゴの空調設備の２倍以上の設備と運転エネルギーが必要なので、非常に効率が悪い。特に、展望エレベータのように、カゴに高容量の空調設備が必要な場合は、コストが非常に高くつくという問題があった。
【０００４】
本発明は、かかる問題点を解消するためになされたものであり、少ない設備投資と維持費で、エレベータのカゴに設置された空調装置による昇降路内の温度上昇を防止する装置を提供することを目的とする。
【０００５】
【課題を解決するための手段】
この発明にかかるエレベータの空調装置は、エレベータの昇降路に設置され、エレベータのカゴの運行経路に沿って配置された排気ダクトと、エレベータのカゴに設置された空調手段と、空調手段の排熱を排気ダクトに導く排熱管と、を有するものである。
【０００６】
また、この発明にかかるエレベータの空調装置は、排熱管が挿入される排気ダクトの面が、可撓性素材を用いたブラシを有するものである。
【０００７】
また、この発明にかかるエレベータの空調装置は、同一の昇降路内を運行する２台以上のエレベータのカゴが、それぞれの排熱管から同一の排気ダクトへ排熱するものである。
【０００８】
また、この発明にかかるエレベータの空調装置は、排気ダクトは、エレベータの制御機器の放熱を前記空調手段の排熱とともに排出するものである。
【０００９】
また、この発明にかかるエレベータの空調装置は、エレベータのカゴに設置された空調手段と、エレベータの昇降路の壁に設けられ、昇降路の外部に排熱する排熱口と、一端を排熱口に、もう一端を空調手段に固定し、空調手段の排熱を排熱口に導く可撓な排熱管と、を有するものである。
【００１０】
【発明の実施の形態】
実施の形態１．
図１は、本発明によるエレベータの空調装置の実施形態の一例で、本発明を設置したエレベータ昇降路の縦断面図を示している。図２は図１の上面図である。
【００１１】
図１において、１はエレベータのカゴで図１の右側が、利用者が乗降するドア側である。２はエレベータの昇降路で、図１は最上部に機械室を有さない構成を示しているが、機械室を有す構成のエレベータで実施することも可能である。３はカゴ１の上部に固定して設置された空調機の室外機で、発生した熱を強制排気などにより外部に放出する構成になっている。４は排気ダクトでカゴ１の運行範囲に沿って昇降路２の内部に設置されており、排気ダクトの軸はカゴ１の運行に沿っている。本実施の形態ではカゴ１は上下方向に運行しているので、排気ダクト４も上下方向に配置されている。５は排気パイプで、一端は空調機３に固定され、もう一端は排気ダクト４に挿入されている。６は昇降路２の上部に設けられた排出口で、排気ダクト４の上端と接続している。
【００１２】
図３は、排気ダクト４に排気パイプ５が挿入される構成の一例である。排気ダクト４にはカゴの運行方向に沿って開口部が設けられている。７は、この開口部で設けられ可撓性素材を用いて構成されたブラシである。排気ダクト４の挿入面上には、先端部が左から中央部に向いたブラシ７と、先端部が右から中央部に向いたブラシ７とが向かい合った構成を有している。排気ダクト４に排気パイプ５が挿入されておらずブラシ７に外力がかかっていない部位では、両先端部は一致するか、若干重なり合うように構成されているため、挿入面には大きな空隙が生じない。一方、排気ダクト４に、排気パイプ５が挿入された部位では、ブラシ７が排気パイプ５に密着して湾曲するため、排気ダクト４から昇降路２への空気漏れが抑えられる。
【００１３】
カゴ１の上下に伴い排気パイプ５も上下動し、排気ダクト４に排気パイプ５が挿入される部位も移動する。これまで排気パイプ５が挿入されブラシ７が変形していた部位では挿入面には空隙が生じないようにブラシの形状が復元し、新たに排気パイプ５が挿入された部位では、ブラシ７が排気パイプ５に密着して湾曲する。そして、排気ダクト４のブラシ７はカゴ１の運行方向に沿って設けられているので、ブラシが変形することにより、排気ダクト４に排気パイプ５が挿入された状態のまま、排気ダクト４から昇降路２への空気漏れが抑えつつ、カゴ１は上下することができる。また、図３では排気ダクト４にブラシ７を設けているが、ブラシ７の代わりにゴムやビニールなど弾性を有する他の部材で実施することも可能である。
【００１４】
以上のように構成されたエレベータの空調装置において、空調機３の排熱は排気パイプ５を通って排気ダクト４の内部に放出され、この暖気は空気の比重差により排気ダクト４内を上昇し、煙突効果により上端の排出口６から昇降路２外部に排出される。その際、上の図３の説明で示したように、排気ダクト４からの空気漏れが少なく抑えられているため、空調機３の排熱の大部分が排出口６から排出できる。
【００１５】
以上述べたように、この実施の形態によるエレベータの空調装置は、従来は昇降路に放出していた排熱を排気ダクトから排出するように構成しているため、昇降路の温度上昇が抑制され、カゴに設置した空調機の運転効率も向上する。また、初期工事のみで維持費がほとんどかからずコストも低く抑えられる。
【００１６】
また、複数のエレベータのカゴが平行に運行している場所では、１つのカゴに１つずつ排気ダクトを設けなくても、１つの排気ダクトに上記のようにブラシが向かい合った構成を複数設け、それぞれに排気パイプを挿入させることも可能である。図４に２つの排気パイプが、それぞれ共通の排気ダクトへ排気する構成をを示す。図４において、１と１ａはエレベータのカゴ、３と３ａは、それぞれカゴ１とカゴ１ａとの空調機、４ａは排気ダクト、５と５ａは、それぞれ空調機３と空調機３ａに一端を固定された排気パイプ、７と７ａはブラシである。排気ダクト４ａは、カゴ１とカゴ１ａの運行範囲に沿って設置され、カゴ１とカゴ１ａのそれぞれの運行範囲に沿ってそれぞれ開口部が設けられ、排気パイプ５と排気パイプ５ａとがそれぞれ挿入される。７と７ａは、この開口部に設けられたブラシであるが、この構成は図３と同じなので説明を省略する。
【００１７】
このように構成することで、大きな空気漏れなしに、１つの排気ダクト４ａで排気パイプ５と排気パイプ５ａとの排気を処理することができるため、排気ダクトの設置コストを低く抑えることができる。
【００１８】
実施の形態２．
図５は、本発明によるエレベータの空調装置の実施形態の一例で、本発明で設置した排気ダクトの斜視図を示している。図５において、４は排気ダクト、７はブラシ、８はエレベータの運転を集中制御する、制御機器で、排気ダクト４に密接して設置している。なお図５中、図１と同一符号は同一、または相当部分を示し説明を省略する。
【００１９】
制御機器８は、多くの電子機器から構成されているためエレベータの稼動に伴い大量に発熱し、昇降路の気温を上昇させる原因の１つになっている。しかし、本実施の形態では制御機器８を排気ダクト４に密接して設けているため、制御機器８の発熱は熱伝導により排気ダクト４に吸熱され、内部の空気を暖める。そして、この暖気は排気ダクト４の煙突効果により排気される。また、図５には示していないが、制御機器８と排気ダクト４との接触面をメッシュなど通気性をもつ構造として、制御機器８で発生した熱を強制排気により排気ダクト４内に送りこむような構成も可能である。
【００２０】
以上述べたように、本発明によるエレベータの空調装置は、従来は昇降路に放出していた制御機器で発生した熱を排気ダクトに吸収させ、排出するように構成しているため、昇降路の温度上昇が抑制される。
【００２１】
実施の形態３．
図６は、本発明によるエレベータの空調装置の実施形態の一例で、本発明を設置したエレベータ昇降路内部の斜視図を示している。図６において、１はエレベータのカゴ、３はカゴ１の空調機、６は昇降路２の上端に設けられた排出口、９はゴムで構成された屈曲可能な排気チューブで、一端は空調機３に、もう一端は排出口６に、それぞれ固定されている。排気チューブ９の全長は昇降路２の全高からカゴ１の高さを引いた長さ：Ｌ以上である。なお図６中、図１と同一符号は同一、または相当部分を示し説明を省略する。なお、図６では排気チューブ９をゴムで構成したが、ビニールや蛇腹など他の可撓な素材を用いた可撓チューブを用いてもよい。
【００２２】
以上のように構成されたエレベータの空調装置において、カゴ１と排出口６が最も離れるのはカゴ１が最下点に位置するときだが、排気チューブ９の全長をＬ以上としたので、カゴ１が最下点に位置するときもカゴ１から排出口６まで排気チューブ９で結ぶことができ、カゴ１の上昇に伴い図６に示すように排気チューブ９を自由懸垂させれば、カゴ１は排気チューブ９に妨げられることなく運行することが出来る。
【００２３】
また、本実施の形態では、排気チューブ９は昇降路２の全高からカゴ１の高さを引いた長さ：Ｌを全長とし、昇降路内で排気口からＬ／２下の部分に排気チューブ９の中間部が固定している。このように構成することで、排気チューブ９の長さを最小化し、チューブの可動範囲を減らすことができる。
【００２４】
以上のように構成されたエレベータの空調装置において、空調機３の排熱は排気チューブを通って排気口６から昇降路２の外部に放出されるため、昇降路２の温度上昇を抑制することができ、カゴに設置した空調機の運転効率も向上する。また、初期工事のみで維持費がほとんどかからずコストも低く抑えられる。
【００２５】
【発明の効果】
以上のように、この発明にかかるエレベータの空調装置は、エレベータの昇降路に設置され、エレベータのカゴの運行経路に沿って配置された排気ダクトと、エレベータのカゴに設置された空調手段と、空調手段の排熱を排気ダクトに導く排熱管と、を有するため、効率良く昇降路の温度上昇を抑制することができる。
【００２６】
また、この発明にかかるエレベータの空調装置は、排熱管が挿入される排気ダクトの面が、可撓性素材を用いたブラシを有するため、排気パイプと排気ダクトとの間の空気漏れを少なく抑えることができる。
【００２７】
また、この発明にかかるエレベータの空調装置は、同一の昇降路内を運行する２台以上のエレベータのカゴが、それぞれの排熱管から同一の排気ダクトへ排熱するため、排気ダクトの設置コストを低く抑えることができる。
【００２８】
また、この発明にかかるエレベータの空調装置は、排気ダクトは、エレベータの制御機器の放熱を前記空調手段の排熱とともに排出するため、昇降路の温度上昇が抑制される。
【００２９】
また、この発明にかかるエレベータの空調装置は、エレベータのカゴに設置された空調手段と、エレベータの昇降路の壁に設けられ、昇降路の外部に排熱する排熱口と、一端を排熱口に、もう一端を空調手段に固定し、空調手段の排熱を排熱口に導く可撓な排熱管と、を有するため、効率良く昇降路の温度上昇を抑制することができる。
【図面の簡単な説明】
【図１】本発明の実施の形態１を示す、エレベータの空調装置の縦断面図である。
【図２】本発明の実施の形態１を示す、エレベータの空調装置の上面図である。
【図３】本発明の実施の形態１を示す、エレベータの空調装置の斜視図である。
【図４】本発明の実施の形態１を示す、エレベータの空調装置の斜視図である。
【図５】本発明の実施の形態２を示す、エレベータの空調装置の斜視図である。
【図６】本発明の実施の形態３を示す、エレベータの空調装置の斜視図である。
【符号の説明】
１　カゴ、２　昇降路、３　冷房装置、４　排気ダクト、５　排気パイプ、６　排気口、７　ブラシ、８　制御機器、９　排気チューブ
【図１】
2004075372.tif 000003
【図２】
2004075372.tif 000004
【図３】
2004075372.tif 000005
【図４】
2004075372.tif 000006
【図５】
2004075372.tif 000007
【図６】
2004075372.tif 000008